(57)【要約】【課題】　視認性を確保しながら小型で低コストな画像形成装置を提供する。【解決手段】　本発明は、機器４を制御する制御基板８に対して傾斜して表紙部６を設け、この表示部６を照明する光源１１を該表示部に対向するように制御基板８に直接設ける。光源１１は、その光軸方向線Ｏが表示部６に対して直交するように制御基板８に設けられ、制御基板８は水平に設ける。【選択図】図１
2004126604.tif 000002
【特許請求の範囲】
【請求項１】
　機器を制御する制御基板と、
　前記制御基板に対して傾斜しており、かつ装置本体の後面から前面に向かって下り傾斜する取付面に設けられている表示部と、
　上記表示部を照明する光源とを有し、
　上記光源を上記制御基板に直接設けたことを特徴とする画像形成装置。
【請求項２】
　請求項１記載の画像形成装置において、
　上記光源は、その光軸方向線が上記表示部に対して直交するように上記制御基板に設けられていることを特徴とする画像形成装置。
【発明の詳細な説明】
【技術分野】
【０００１】
　本発明は、光源を備える表示部を備えた画像形成装置に関する。
【背景技術】
【０００２】
　画像形成装置などの機器の上部には、ＡＤＦなどの付属機器が配置されている。このような付属機器や画像形成装置には、機器の状態を操作者に知らせる表示装置が設けられている。表示装置は表示部を有し、この表示部は、視認性を考慮して機器を操作する操作者側に向かって対向する部位に傾斜して設けられている。表示装置には、機器を制御する制御基板や、表示部を照明するためのＬＥＤなどの光源が配置されている。光源は、表示部に対して略直行する方向から照射するように配置するのが一般的であり、そのため、表示部を傾斜して設ける場合、制御基板と個別に光源用基板を表示部と平行になるように傾斜して配置し、この基板に光源を取り付けている。
【０００３】
　機器の小型化や低コスト化が年々要望されている一方、機器の高機能化が進んで制御系にかかる負担が大きくなっており、機器の構成部毎にＣＰＵを持つものも多く、制御基板を小さくするのが難しくなっている。このような中にあって、上述した表示装置でも制御基板を装置内で水平に設けて小スペースを図っているので、光源用基板をブラケットなどの支持部材を介して制御基板やそれを支持するフレームに取り付けている。
【発明の開示】
【発明が解決しようとする課題】
【０００４】
　このように光源を制御基板と個別に設けると、光源用基板や支持部材などが必要で装置の部品点数が多くなり、装置の小型化や低コストの妨げとなってしまう。表示部を水平に設ければ、水平に設けた制御基板に光源を取り付けられるので、光源用基板やそれを支持するための支持部材も不要となるが、これだと装置の操作者側から表示部が見にくくなり視認性に問題が生じてしまう。
【０００５】
　本発明は、視認性を確保しながら小型で低コストな画像形成装置を提供することを目的とする。
【課題を解決するための手段】
【０００６】
　上記目的を達成するため、本発明は、機器を制御する制御基板と、この制御基板に対して傾斜しており、かつ装置本体の後面から前面に向かって下り傾斜する取付面に設けられている表示部と、上記表示部を照明する光源とを有し、上記光源を上記制御基板に直接設けたことを特徴としている。
【０００７】
　本発明は、機器を制御する制御基板に対して表示部を傾斜して設け、この表示部と対向配置される光源を制御基板に直接取り付けることを基本構成としている。このように光源を制御基板に直接取付けると、光源用の基板やそれを支持するブラケットが不要となるので好ましい。
【０００８】
　機器としては、原稿や通信情報に応じた画像を、用紙を中心とした記録材に記録する周知の画像形成装置や、画像形成装置に設けられる付属装置、例えば、ＡＤＦと称する自動原稿送り装置などに代表される画像形成装置本体の上部や、その他、画像形成装置の側部に付勢される様々な装置全般が挙げられる。
【０００９】
　光源を、表示部に対してその光軸方向線が直交するように制御基板に取り付けると、光源の照度の強い部位が表示部に対向することになり、照度の点で有利となるので好ましい。光源を設けた制御基板を水平に設けると、制御基板を占める空間が大きくならずに済むので好ましい。光源としては、ＬＥＤがその代表として挙げられる。表示部に対して光源の光軸方向を直交するように設けると、光源に照射範囲の狭いものを用いても十分な照度を得られるので好ましい。
【発明の効果】
【００１０】
　請求項１記載の発明によれば、制御基板に対して傾斜し、かつ装置本体の後面から前面に向かって下り傾斜する取付面に設けられている表示部を照明する光源を、制御基板に直接取り付けることで、光源用基板やその支持部材が不要となるため、部品点数を削減でき、視認性を確保しながら装置の小型や低コストを図れる。
【００１１】
　請求項２記載の発明によれば、光源の光軸方向線を表示部に対して直交するように設けることで、光源の照度の強い部位で表示部を照明でき、装置の小型や低コストを図りながら一層視認性を向上することができる。
【発明を実施するための最良の形態】
【００１２】
　以下、本発明を画像形成装置に適用した例を基に説明する。　
（第１実施例）
　図１において、符号１は画像形成装置を示す。画像形成装置１は、画像形成を行う装置本体２と、形成された画像が転写される転写材が収納された複数の給紙カセット３ａ，３ｂ，３ｃ，３ｂからなる給紙部３と、付属装置となる自動原稿送り装置４（以下「ＡＤＦ４」と記す）と、画像形成装置１の操作部５とを備えている。装置本体２は、画像読み取り部や図示しない通信機器から送られる画像信号に応じて感光体などの像担持体上に電気的な像を形成し、その像にトナーなどの現像剤を静電気に吸着させて現像し、給紙部３から所定のタイミングで給紙される転写材に転写して定着させる機能を備えた周知のものである。給紙部３は、装置本体２の下方に給紙カセット３ａ，３ｂ，３ｃ，３ｄを積み重ねて配置されている。操作部５は、装置本体２に対して様々な指令を与えるもので、装置本体２の前面２ａに配置されている。
【００１３】
　装置本体２の上部２ｂは、図示しないコンタクトガラスが装着されていて、原稿載置部となっている。ＡＤＦ４は、載置トレイ４ａにセットされる所望の原稿を自動で装置本体２の上部２ｂ側に連続的に給紙するもので、装置本体２の上方に、装置本体の後面２ｃ側を中心に回動可能に設けられる。
【００１４】
　ＡＤＦ４の機構を覆うカバー７には、ＡＤＦ４の作動状態を表示する表示部６が設けられている。カバー７は、図２に示すように、操作部５と対向する後方側を上方に向かって凸状に形成されている。この凸部７Ａの前面は、装置本体２の後面２ｃから前面２ａに向かって下り傾斜する取付面７Ｂをなし、表示部６は、この取付面７Ｂの左隅に形成されている。
【００１５】
　表示部６は、図３に示すように、取付面７Ｂに設けた凹部７ｃと、凹部７ｃを貫通するように設けられた開口１２と、凹部７ｃに嵌め込まれるカラーシート１３から構成されている。カラーシート１３は、凹部７ｃ内に貼付けても良い。カラーシート１３には、図２に示すように、所望の図形や記号が描かれている。
【００１６】
　凸部７Ａの内部は、図３に示すように、中空状に形成されていて、ＡＤＦ４の動作を制御する制御基板８が、凸部７Ａの内部に横架されたフレーム９に水平状態となるように図示しないねじで取り付けられている。フレーム９の下方には、ＡＤＦ４の駆動機構１０が配置されている。制御基板８には、光源となるＬＥＤ１１が複数ハンダ付けによって設けられている。ＬＥＤ１１は、制御基板８によって、点灯したり点滅するように制御されて表示部６を照明するようになっている。ＬＥＤ１１は、その照射範囲内に開口１２が位置するように、表示部６と対向配置されている。
【００１７】
　このような構成によると、ＬＥＤ１１が、水平状態に設けられた制御基板８に直接取り付けられるので、従来のような光源用の基板やそれを支持するための支持部材が必要でなくなり、部品点数が少なくなり、コストや占有スペースを小さくできる。ＬＥＤ１１の照射範囲内に開口１２が位置するので、開口１２を通してＬＥＤ１１の放射光がカラーシート１３まで届き、表示部６を確実に照明することができる。図４に示すように、表示部６を設けた取付面７Ｂが装置本体２の後面２ｃから前面２ａに向かって下り傾斜に形成されているので、画像形成装置１の操作者Ｍに向かって表示部６が対面することになり、操作者Ｍから表示部６を良好に見ることができる。図４において符号Ｐは、操作者の視線を示す。
（第２実施例）
　図５に示す第２実施例は、表示部６を照明するＬＥＤ１１を、水平状態に設けた制御基板８に、その光軸方向線Ｏが取付面７Ｂと直交するように表示部６に向かって傾けて設けたものである。光軸中心線Ｏとは、ＬＥＤ１１の放射光における照度の一番強い方向延びる線である。ＬＥＤ１１は、この光軸中心線Ｏが開口１２の中心を通るように表示部６に対向して配置されている。
【００１８】
　このようにＬＥＤ１１を配置すると、その放射光の強い部位が開口１２と対向するので、表示部６が明るくなり、操作者Ｍからの表示部６をより明確に見ることができる。また、放射光の強い部位が開口１２と対向するので、ＬＥＤ１１の放射光の角度が狭くても十分に表示部６を照明でき、光源に用いるＬＥＤの選択幅が広げられる。
【００１９】
　上述した実施例は、画像形成装置に付勢したＡＤＦ４に適用したもので説明したが、これに限定されるものではなく、画像形成装置１そのものや、ソータ機構やステップル機構を単独あるいは組み合わせて設けられる付勢機器に適用しても無論構わない。
【図面の簡単な説明】
【００２０】
【図１】本発明が適用される付属機器を備えた画像形成装置の斜視図である。
【図２】付属機器における表示部近傍の拡大斜視図である。
【図３】本発明の第１実施例を示す表示装置の構成を示す拡大断面図である。
【図４】表示部と操作者の位置関係を示す側面図である。
【図５】本発明の第２実施例を示す表示装置の構成を示す拡大断面図である。
【符号の説明】
【００２１】
　４　　　　　　　機器
　６　　　　　　　表示部
　８　　　　　　　制御基板
　１１　　　　　　光源
　Ｏ　　　　　　　光軸方向線
【図１】
2004126604.tif 000003
【図２】
2004126604.tif 000004
【図３】
2004126604.tif 000005
【図４】
2004126604.tif 000006
【図５】
2004126604.tif 000007